(57)【要約】【課題】簡易な構成で廃棄物の選別精度を向上することができる選別装置を提供する。【解決手段】廃棄物Ｄの選別装置１は、搬送方向が水平面に対して傾斜し、下方から上方に向けて廃棄物を搬送する第３コンベア１０と、第３コンベア１０の上方に配置され、落とし口３０ａから第３コンベア１０上に廃棄物Ｄを排出するホッパ３０と、ホッパ３０内に配置され、粒径の大小に応じて廃棄物Ｄを選別するスリット３１ａを有するグリズリバー３１と、を備える。グリズリバー３１は、スリット３１ａを通過した廃棄物Ｄを第３コンベア１０の下方側に落下させ、スリット３１ａを通過しなかった廃棄物Ｄを捕捉して第３コンベア１０の上方側にガイドする。【選択図】図４
2015208739.tif 000002
【特許請求の範囲】
【請求項１】
廃棄物の選別装置であって、
搬送方向が水平面に対して傾斜し、下方から上方に向けて前記廃棄物を搬送するコンベアと、
前記コンベアの上方に配置され、前記廃棄物を落とし口から前記コンベア上に排出するホッパと、
前記ホッパ内に配置され、粒径の大小に応じて前記廃棄物を選別する開口を有する選別部と、を備え、
前記選別部は、前記開口を通過した前記廃棄物を前記コンベアの下方側に落下させ、前記開口を通過しなかった前記廃棄物を捕捉して前記コンベアの上方側にガイドする、選別装置。
【請求項２】
前記選別部は、落下してくる前記廃棄物中の礫分を跳ね返す金属製部材であり、前記選別部と前記コンベアとの間には、前記開口の大きさよりも大きな幅を有する隙間が設けられている、請求項１に記載の選別装置。
【請求項３】
前記選別部は、前記開口として複数のスリットが形成された面状の部材であり、前記コンベアとは反対となる傾斜を水平面に対して所定角度で有する、請求項１又は２に記載の選別装置。
【請求項４】
前記所定角度は、２０°以上かつ６０°以下である、請求項３に記載の選別装置。
【請求項５】
前記選別部の下方における前記コンベアの下端側には、前記廃棄物の飛散を抑制する飛散抑制部材が設けられている、請求項１〜４の何れか一項に記載の選別装置。
【請求項６】
作業員の手作業による選別が行われる手選別コンベアを更に備え、
前記手選別コンベアは、前記コンベアの下流側に配置されており、前記コンベアによって搬送された前記廃棄物が供給される、請求項１〜５の何れか一項に記載の選別装置。
【発明の詳細な説明】
【技術分野】
【０００１】
本発明は、廃棄物の選別装置に関し、特に礫分を含む廃棄物から礫分等を選別除去する廃棄物の選別装置に関する。
【背景技術】
【０００２】
従来、作業者が廃棄物から異物を手で選別して除去する際に、その作業の効率を向上するために用いられる選別装置が知られている。例えば、特許文献１には、廃棄物がベルトコンベアから振動フィーダに落下する途中の位置にガイド板を配置した選別装置が記載されている。この選別装置では、ガイド板によって廃棄物が振動フィーダのテーブル幅いっぱいに広がって散らばることとなり、作業者が廃棄物中の異物を容易に判別でき、選別作業の能率向上と、選別後の廃棄物の品質向上が図られる。
【先行技術文献】
【特許文献】
【０００３】
【特許文献１】特開平９−１８７７３９号公報
【発明の開示】
【発明が解決しようとする課題】
【０００４】
ところで、近年、地震や津波等による災害が発生している。特に、大規模な災害の場合には、広範囲に甚大な被害が及ぶため、様々な種類の災害廃棄物が大量に生じることとなる。災害廃棄物を一般焼却炉で処理する場合、一般焼却炉の仕様からは、処理後に生じる灰分や焼却残渣を十分低減することが望ましい。その為に、廃棄物中に混在する異物の選別は重要であるが、災害廃棄物は、一般廃棄物に比べて、性状的に土砂の付着が多いところ、上述したような従来技術では、災害廃棄物の性状を考慮していないため、廃棄物の選別精度を向上することが困難である。
【０００５】
なお、選別手段として篩選別を行い、その後に作業員の手作業による選別（手選別）を行う場合、一般的には、篩選別のアンダーサイズの裾切りの大きさによって、手選別のし易さが変化する。例えば、裾切りの大きさを大きくすると、目視による異物の確認が容易となり、灰分や焼却残渣を低減し易くなる傾向がある。しかし、災害廃棄物では、上述のように土砂の付着が多いため、裾切りの大きさを大きくすると、土砂に大量の有機物が含まれることとなり、不燃物としての要求水準を満たさなくなる。つまり、篩選別によって災害廃棄物を選別する場合、実際には裾切りの大きさを最適にすることが非常に困難であった。
【０００６】
また、処理スピードを重視し、かつ選別精度を向上することを念頭におくと、効率的な機械選別を求められるが、例えば、風力選別では、礫分の粒度によっては選別の効果が十分得られない。一方で、湿式分級では、複雑で大型の構成となって設備の配置計画上の困難を伴うものであった。
【０００７】
本発明は、以上の課題を解決することを目的としており、簡易な構成で廃棄物の選別効率及び選別精度を向上することができる選別装置を提供することを目的とする。
【課題を解決するための手段】
【０００８】
本発明は、廃棄物の選別装置であって、搬送方向が水平面に対して傾斜し、下方から上方に向けて廃棄物を搬送するコンベアと、コンベアの上方に配置され、廃棄物を落とし口からコンベア上に排出するホッパと、ホッパ内に配置され、粒径の大小に応じて廃棄物を選別する開口を有する選別部と、を備え、選別部は、開口を通過した廃棄物をコンベアの下方側に落下させ、開口を通過しなかった廃棄物を捕捉してコンベアの上方側にガイドする。
【０００９】
この選別装置によれば、開口の大きさよりも粒径が小さい廃棄物（以下、小型廃棄物という）は、選別部に捕捉されることなく開口をくぐり落ち、選別部の下方のコンベア上に落下する。一方、開口の大きさよりも粒径が大きい廃棄物（以下、大型廃棄物という）は、開口を通過することなく選別部に捕捉されて、コンベアの搬送方向における上方側のコンベア上に落下するようにガイドされる。小型廃棄物は、コンベアの傾斜によってコンベアの下方に向かって転がるところ、選別部によって大型廃棄物からは分別されているので、落下してくる大型廃棄物とコンベア上で干渉することがなくなり、コンベアの下端まで転がって選別され易くなる。一方で、可燃物を多く含む可能性の高い大型廃棄物は、小型廃棄物とは分別されてコンベアの上方に搬送されやすくなる。その結果、簡易な構成で廃棄物の選別効率及び選別精度を向上することができる。
【００１０】
また、上記の選別装置において、選別部は、落下してくる廃棄物中の礫分を跳ね返す金属製部材であり、選別部とコンベアとの間には、開口の大きさよりも大きな幅を有する隙間が設けられている。この場合、特に礫分は、跳ね返されてガイドされることで、コンベア上で跳ね易くなるため、コンベア上で静止しにくくなる。その結果、礫分はコンベア上に留まりにくく、コンベアの搬送方向とは逆方向である下方に向けて転がり易く、更に、選別部とコンベアとの間をくぐり抜けて下方に転がり落ちる。つまり、小型廃棄物から分別された大型廃棄物の中から更に礫分が分別されることとなり、廃棄物の選別効率及び選別精度を更に向上できる。
【００１１】
また、上記の選別装置において、選別部は、開口として複数のスリットが形成された面状の部材であり、コンベアとは反対となる傾斜を水平面に対して所定角度で有する。この場合、大型廃棄物をガイドする際に、コンベア上における廃棄物のばらつき及び偏りを抑制することができる。
【００１２】
また、上記の選別装置において、所定角度は、２０°以上かつ６０°以下である。この場合、礫分がコンベアの下端まで転がるために好適なコンベア上の位置に向けて礫分を跳ね返すことができると共に、高含水の瓦礫や布等が礫分に付着することを抑制することができる。
【００１３】
また、上記の選別装置において、選別部の下方におけるコンベアの下端側には、廃棄物の飛散を抑制する飛散抑制部材が設けられている。この場合、コンベアの下端側において、コンベア上を転がってきた廃棄物がコンベア付近の作業員に当たることを抑制することができる。
【００１４】
また、上記の選別装置において、作業員の手作業による選別が行われる手選別コンベアを更に備え、手選別コンベアは、コンベアの下流側に配置されており、コンベアによって搬送された廃棄物が供給される。この場合、選別部による廃棄物の選別の後に手選別が行われるため、手選別の作業効率を向上することができる。
【発明の効果】
【００１５】
本発明によれば、簡易な構成で廃棄物の選別効率及び選別精度を向上することができる。
【図面の簡単な説明】
【００１６】
【図１】本発明の一実施形態に係る選別装置を用いた選別工程を示す概略図である。
【図２】本発明の一実施形態に係る選別装置における廃棄物の流れを示す概略平面図である。
【図３】図２の選別装置を矢印IIIの方向からの側面視で示す概略図である。
【図４】（ａ）は、図２の選別装置の主要部を矢印IIIの方向からの側面視で示す一部断面図である。（ｂ）は、図４（ａ）のIVｂ−IVｂ線に沿う一部断面図である。
【発明を実施するための形態】
【００１７】
以下、本発明の実施形態について、図面を参照しながら説明する。なお、図面の説明において同一要素には同一符号を付し、重複する説明は省略する。
【００１８】
まず、図１〜図３を参照して、廃棄物の選別装置１を用いた選別工程について説明する。図１は、本発明の一実施形態に係る選別装置を用いた選別工程を示す概略図である。図２は、本発明の一実施形態に係る選別装置における廃棄物の流れを示す概略平面図である。図３は、図２の選別装置を矢印IIIの方向からの側面視で示す概略図である。
【００１９】
図１に示されるように、選別装置１は、粗選別工程の後の中間処理としての破砕選別工程で用いられる装置である。粗選別工程は、中間処理の工程を効果的に実施するために、廃棄物を事前に処理する工程であり、例えばパワーショベルＳ１等の重機及び作業員Ｍにより行われる。粗選別された廃棄物は、一次破砕機２に投入される。一次破砕機２に投入されることで、廃棄物は、例えば約１５０ｍｍ以下の大きさとなるように破砕（粗破砕）される。粗破砕された廃棄物は、第１コンベア３によって搬送され、第１集積材４として集積される。
【００２０】
第１集積材４は、例えばタイヤショベルＳ２等の重機によって投入口５に投入される。投入口５は、エプロンフィーダ６の上方に配置されており、エプロンフィーダ６に廃棄物を供給する。エプロンフィーダ６は、鋼板等を帯状に取り付けたエプロンを長手方向に走行させて廃棄物を搬送するフィーダである。廃棄物は、エプロンフィーダ６により搬送されて振動篩７に供給される（図２の矢印Ａ１参照）。
【００２１】
振動篩７は、廃棄物を振動により篩に掛ける装置であり、例えば電動機の動力により加振される。図３に示されるように、振動篩７は、支柱８によって支持されており、第３コンベア１０の上方に設置されている。ここでの振動篩７は、第１篩７ａ及び第２篩７ｂを有している。第１篩７ａは、第２篩７ｂよりも目の粗い篩であり、例えば約１００ｍｍの目の粗さとされている。一方、第２篩７ｂは、例えば約２０ｍｍの目の粗さとされている。
【００２２】
第１篩７ａの篩上の廃棄物は、第２コンベア９に受け渡される（図２の矢印Ａ２参照）。第２コンベア９の下流には、例えば磁選機が設置され（図示せず）、第１篩７ａの篩上の廃棄物から鉄類が回収される。また、第２コンベア９の下流には、例えばハンマシュレッダ等が設置されている（図示せず）。第１篩７ａの篩上の廃棄物は、例えば約１５０ｍｍ以下の大きさに破砕されて集積される。
【００２３】
第２篩７ｂの篩下の廃棄物は、第４コンベア１２に受け渡される（図２の矢印Ａ４参照）。第４コンベア１２の下流には、例えば竪型風力選別機が設置されている（図示せず）。第２篩７ｂの篩下の廃棄物は、例えば竪型風力選別機によって重量に応じて選別されて集積される。
【００２４】
第２篩７ｂの篩上の廃棄物（廃棄物Ｄ）には、大型廃棄物Ｄ１と、小型廃棄物Ｄ２とが含まれる。この大型廃棄物Ｄ１には、可燃物ｄ１ｂと、礫分ｄ１ａとが含まれる。なお、小型廃棄物Ｄ２には、礫分ｄ１ａよりも粒径が小さい礫分が含まれることもある。廃棄物Ｄは、ホッパ３０を介して第３コンベア１０に受け渡される（図２の矢印Ａ３、図３参照）。この際、廃棄物Ｄから礫分ｄ１ａ及び小型廃棄物Ｄ２が除去される。
【００２５】
第３コンベア１０は、搬送方向が水平面に対して傾斜するように配置されている。第３コンベア１０は、水平面に対して角度θ１だけ傾斜している（図４参照）。角度θ１は、特に限定されるものではないが、約２０°とされている。なお、角度θ１は、第３コンベア１０が搬送する廃棄物Ｄによっては、２０°以下の角度とされることが好ましい。
【００２６】
第３コンベア１０は、その下方側において支柱８に支持されており、その中間部において支柱１１に支持されており、その上方側において支柱１７に支持されている。第３コンベア１０は、その下方から上方に向けて廃棄物Ｄを搬送する。第３コンベア１０により搬送された廃棄物Ｄは、正逆コンベア１３に受け渡される。
【００２７】
正逆コンベア１３は、支柱１７に支持されており、第３コンベア１０の上端部の下方に配置されている。正逆コンベア１３は、搬送方向の変更が可能なコンベアである。正逆コンベア１３の搬送方向は、特に限定されるものではないが、例えば災害廃棄物の性状（例えば、可燃物と不燃物とのどちらが主であるか等）に応じて切り替えられる。正逆コンベア１３は、その両端部が第５コンベア１４及び第６コンベア１５の上方に配置されている。
【００２８】
第５コンベア１４及び第６コンベア１５は、第３コンベア１０の下流側に配置されている。第５コンベア１４及び第６コンベア１５には、第３コンベア１０によって搬送された廃棄物Ｄが正逆コンベア１３の搬送方向に応じて供給される（図２の矢印Ａ５参照）。第５コンベア１４及び第６コンベア１５は、支柱１７に支持されており、その側方に作業員Ｍが立つための足場１６がそれぞれ設けられている。第５コンベア１４及び第６コンベア１５は、作業員Ｍの手作業による選別（手選別）が行われる手選別コンベアである。
【００２９】
第５コンベア１４及び第６コンベア１５では、作業員Ｍが廃棄物Ｄから異物等を手作業で選別することで、廃棄物Ｄの選別精度が一定水準に維持される。ここでの異物は、礫分ｄ１ａ及び小型廃棄物Ｄ２である。礫分ｄ１ａは、例えば粒径が約５０ｍｍ〜１５０ｍｍの玉石又はコンクリート片を含んでいる。小型廃棄物Ｄ２は、例えば粒径が約２０ｍｍ〜５０ｍｍの玉石又はコンクリート片を含んでいる。礫分ｄ１ａ及び小型廃棄物Ｄ２は、上記手選別コンベアにおいて除去されて、第２集積材１８及び第３集積材１９として集積される。また、手選別が行われた廃棄物Ｄは、第７コンベア２０に受け渡される（図２の矢印Ａ６参照）。第７コンベア２０の下流には、例えば磁選機が設置され（図示せず）、廃棄物Ｄから鉄類が回収される。また、第７コンベア２０の下流には、例えば振動篩等が設置され（図示せず）、篩の目の粗さに応じた所定の大きさごとに篩い分けされて、それぞれ集積される。
【００３０】
次に、図４を参照して、選別装置１について説明する。図４（ａ）は、図２の選別装置の主要部を矢印IIIの方向からの側面視で示す一部断面図である。図４（ｂ）は、図４（ａ）のIVｂ−IVｂ線に沿う一部断面図である。
【００３１】
ホッパ３０は、第３コンベア１０の上方に配置されている。ホッパ３０は、例えば概略四角柱形状を呈しており、下端側が先細りに形成されている。ホッパ３０の下端部には、落とし口３０ａが形成されている。落とし口３０ａは、第３コンベア１０の上面（搬送面）に対向して開口し、第３コンベア１０の延在方向に沿うように形成されている。ホッパ３０は、落とし口３０ａから第３コンベア１０上に廃棄物Ｄを排出する。ホッパ３０内には、グリズリバー３１（選別部）が配置されている。
【００３２】
グリズリバー３１は、ホッパ３０内を落下してくる廃棄物Ｄ中の大型廃棄物Ｄ１をガイドすると共に、礫分ｄ１ａを跳ね返すためのものであり、例えば金属製部材が用いられている。グリズリバー３１は、図４（ｂ）に示されるように、複数の棒状部材が並設されることで概略面状を呈する部材として構成されている。グリズリバー３１は、複数の棒状部材が並設されることで、複数の略長方形状の開口を有している。つまり、グリズリバー３１には複数のスリット３１ａが形成されている。
【００３３】
スリット３１ａは、廃棄物Ｄの粒径の大小に応じて、廃棄物Ｄを選別する。スリット３１ａにおいて、第３コンベア１０の幅方向に沿うスリット３１ａの幅は、大型廃棄物Ｄ１の粒径よりも小さく小型廃棄物Ｄ２よりも大きい幅とされており、例えば約５０ｍｍに設定されている。
【００３４】
グリズリバー３１は、第３コンベア１０とは反対となる傾斜を有している。グリズリバー３１は、水平面に対して所定角度θ２だけ傾斜している（図４参照）。所定角度θ２は、例えば２０°以上かつ６０°以下とされている。
【００３５】
グリズリバー３１は、ホッパ３０内の落とし口３０ａにおける第３コンベア１０の下方側に設けられている。グリズリバー３１と第３コンベア１０との間には、スリット３１ａの幅よりも大きな幅を有する隙間が設けられている。この隙間は、例えばスリット３１ａの幅が約５０ｍｍに設定されている場合、少なくとも約５０ｍｍよりも大きな幅に設定されている。また例えば、第３コンベア１０が下に凸となるように湾曲している場合には（図４（ｂ）参照）、この隙間は、第３コンベア１０の両端部において約１５０ｍｍよりも大きな幅に設定されてもよいし、第３コンベア１０の中央部において約２５０ｍｍよりも大きな幅に設定されてもよい。
【００３６】
グリズリバー３１の下方における第３コンベア１０の下端側には、テールスカート３２（飛散抑制部材）が設けられている。テールスカート３２は、第３コンベア１０の下端部において立設されている。テールスカート３２としては、例えば暖簾状のゴム板部材が用いられる。図４（ｂ）に示されるように、テールスカート３２は、ホッパ３０の下端と、第３コンベア１０との間の隙間に対応するような形状に形成されている。テールスカート３２は、第３コンベア１０の下端部における廃棄物Ｄの飛散を抑制する。テールスカート３２の側方には、テールスカート３２の側縁部に沿うようにサイドスカート３３が設けられている。サイドスカート３３は、その長手方向が第３コンベア１０の延在方向に沿うように設けられている。サイドスカート３３は、第３コンベア１０の幅方向における廃棄物Ｄの飛散を抑制する。
【００３７】
本実施形態に係る選別装置１によれば、小型廃棄物Ｄ２を廃棄物Ｄから除去することができる。すなわち、図４（ａ）に示されるように、小型廃棄物Ｄ２は、スリット３１ａの幅よりも粒径が小さいため、グリズリバー３１に捕捉されることなくスリット３１ａをくぐり落ち（通過し）、グリズリバー３１の下方の第３コンベア１０上に落下し、第３コンベア１０上を跳ねながら、第３コンベア１０の傾斜によって第３コンベア１０の下端まで転がり落ちて、廃棄物Ｄから選別除去されることとなる。ここで、小型廃棄物Ｄ２は、グリズリバー３１によって大型廃棄物Ｄ１からは分別されているので、落下してくる大型廃棄物Ｄ１と第３コンベア１０上で干渉することがなくなり、第３コンベア１０の下端まで転がり易くなる。
【００３８】
一方、大型廃棄物Ｄ１（礫分ｄ１ａ及び可燃物ｄ１ｂ）は、スリット３１ａの幅よりも粒径が大きいため、スリット３１ａを通過することなく、グリズリバー３１に捕捉される。そして、大型廃棄物Ｄ１は、グリズリバー３１によって第３コンベア１０の上方側にガイドされる。
【００３９】
ここで、大型廃棄物Ｄ１に含まれる礫分ｄ１ａは、図４（ａ）に示されるように、第３コンベア１０とは反対となる傾斜を有するグリズリバー３１により、第３コンベア１０の上方側に跳ね返されてガイドされる。この際、礫分ｄ１ａの落下による運動エネルギーは、第３コンベア１０上を跳ねる運動エネルギーに変化し、第３コンベア１０上で跳ね易くなるため、コンベア上で静止しにくくなる。その結果、礫分ｄ１ａは第３コンベア１０上に留まりにくく、第３コンベア１０の搬送方向とは逆方向である下方に向けて転がり易い。その結果、第３コンベア１０の上方側に跳ね返された礫分ｄ１ａは、第３コンベア１０の傾斜によって、第３コンベア１０上を跳ねながら第３コンベア１０の下端まで転がり続ける。更に、グリズリバー３１と第３コンベア１０との間にはスリット３１ａの幅よりも大きな隙間が設けられており、礫分ｄ１ａは、グリズリバー３１と第３コンベア１０との間をくぐり抜けて、第３コンベア１０の下端まで転がり落ちる。つまり、小型廃棄物Ｄ２から分別された大型廃棄物Ｄ１の中から更に礫分ｄ１ａが分別されることとなる。
【００４０】
なお、大型廃棄物Ｄ１に含まれる可燃物ｄ１ｂは、図４（ａ）に示されるように、一般的に扁平な形状を呈しているものが多い。一方、礫分ｄ１ａ及び小型廃棄物Ｄ２は、一般的に丸みを帯びた形状を呈しているものが多い。従って、可燃物ｄ１ｂは、礫分ｄ１ａ及び小型廃棄物Ｄ２と比較して、第３コンベア１０との摩擦力が生じやすい。このため、可燃物ｄ１ｂは、第３コンベア１０の下端まで転がり落ちることなく第３コンベア１０上に留まって、礫分ｄ１ａ及び小型廃棄物Ｄ２とは分別されて第３コンベア１０の上方へ搬送されることとなる。
【００４１】
以上の通り、本実施形態に係る選別装置１によれば、小型廃棄物Ｄ２は、スリット３１ａをくぐり落ちて、第３コンベア１０の傾斜によって第３コンベア１０の下方に向かって転がる。その際、小型廃棄物Ｄ２は、グリズリバー３１によって大型廃棄物Ｄ１からは分別されているので、落下してくる大型廃棄物Ｄ１と第３コンベア１０上で干渉することがなくなり、第３コンベア１０の下端まで転がって選別され易くなる。一方で、可燃物ｄ１ｂを多く含む可能性の高い大型廃棄物Ｄ１は、小型廃棄物Ｄ２とは分別されて第３コンベア１０の上方に搬送されやすくなる。その結果、簡易な構成で廃棄物Ｄの選別効率及び選別精度を向上することができる。
【００４２】
また、グリズリバー３１は、落下してくる廃棄物Ｄ中の礫分ｄ１ａを跳ね返す金属製部材とされており、グリズリバー３１と第３コンベア１０との間には、スリット３１ａの大きさよりも大きな幅を有する隙間が設けられている。これにより、特に礫分ｄ１ａは、跳ね返されてガイドされることで、第３コンベア１０上で跳ね易くなるため、第３コンベア１０上で静止しにくくなる。その結果、礫分ｄ１ａは第３コンベア１０上に留まりにくく、第３コンベア１０上の搬送方向とは逆方向である下方に向けて転がり易く、更に、グリズリバー３１と第３コンベア１０との間をくぐり抜けて下方に転がり落ちる。つまり、小型廃棄物Ｄ２から分別された大型廃棄物Ｄ１の中から更に礫分ｄ１ａが分別されることとなり、廃棄物Ｄの選別効率及び選別精度を更に向上できる。
【００４３】
また、グリズリバー３１は、開口として複数のスリット３１ａが形成された面状の部材とされており、第３コンベア１０とは反対となる傾斜を水平面に対する所定角度θ２で有する。これにより、大型廃棄物Ｄ１がガイドされる際に、第３コンベア１０上における廃棄物Ｄのばらつき及び偏りを抑制することができる。
【００４４】
また、所定角度θ２は、２０°以上かつ６０°以下とされている。これにより、礫分ｄ１ａが第３コンベア１０の下端まで転がるために好適な第３コンベア１０上の位置に向けて礫分ｄ１ａを跳ね返すことができると共に、高含水の瓦礫や布等が礫分ｄ１ａに付着することを抑制することができる。
【００４５】
また、グリズリバー３１の下方における第３コンベア１０の下端側には、廃棄物Ｄの飛散を抑制するテールスカート３２が設けられている。これにより、第３コンベア１０の下端側において、第３コンベア１０上を転がってきた礫分ｄ１ａ及び小型廃棄物Ｄ２が第３コンベア１０付近の作業員に当たることを抑制することができる。
【００４６】
また、選別装置１は、作業員Ｍの手作業による選別が行われる手選別コンベア（第５コンベア１４及び第６コンベア１５）を更に備えている。この第５コンベア１４及び第６コンベア１５は、第３コンベア１０の下流側に配置されており、第３コンベア１０によって搬送された廃棄物Ｄが供給される。これにより、グリズリバー３１による廃棄物Ｄの選別の後に手選別が行われるため、手選別の作業効率を向上することができる。
【００４７】
なお、廃棄物Ｄの選別において、手選別工程の前に予め礫分ｄ１ａ等を分離選別するにあたって、選別の処理スピードを重視し、かつ選別精度を向上することを念頭におくと、機械選別が効率的で有利と考えられる。しかし、例えば風力選別については、廃棄物Ｄの粒径が小さくなるほど選別精度を向上しづらいことが想定され、また例えば、湿式分級については、可燃物ｄ１ｂのような体積が大きい廃棄物Ｄが主となる場合には、廃棄物Ｄの大きさに応じた大きな水槽を要し、廃棄物Ｄの集積スペースの配置計画上の困難を伴うことが想定されるところである。このような局面に対して、本願の発明者らは、創意工夫を行うことにより、上述のような第３コンベア１０の傾斜を利用するグリズリバー３１を想到した。その結果、本願の発明者らは、選別装置１に対して大幅な改造をすることなく、廃棄物Ｄの選別効率及び選別精度を向上させることができた。
【００４８】
本発明は、上述の実施形態に限定されるものではない。例えば、上記実施形態では、開口として、複数の略長方形状の開口から構成されるスリット３１ａを例示したが、例えば、スリット３１ａを構成する複数の開口は、長方形以外の矩形であってもよいし、円形や楕円形であってもよい。また、上記実施形態では、選別部としてグリズリバー３１を例示したが、例えば、網目状の部材で選別部が構成されてもよいし、複数の板材が同一平面内において互いに離間して配置されて選別部が構成されてもよい。また、上記実施形態では、テールスカート３２として暖簾状のゴム板部材を例示したが、例えば、金属等の硬質材料の板部材であってもよいし、スポンジ製ブロック体であってもよい。また、テールスカート３２は、ホッパ３０の下端と、第３コンベア１０との間の隙間に対応するような形状に形成されていたが、例えば略長方形等の形状でもよい。要は、廃棄物Ｄの飛散が抑制できればよい。
【００４９】
また、上記実施形態では、災害廃棄物の性状は可燃物ｄ１ｂが主である場合を例示したが、例えば不燃物が主であってもよい。また、廃棄物Ｄは災害廃棄物に限定されない。
【符号の説明】
【００５０】
１…選別装置、１０…第３コンベア（コンベア）、３０…ホッパ、３０ａ…落とし口、３１…グリズリバー（選別部）、３１ａ…スリット、３２…テールスカート（飛散抑制部材）、Ｄ…廃棄物、ｄ１ａ…礫分。
【図１】
2015208739.tif 000003
【図２】
2015208739.tif 000004
【図３】
2015208739.tif 000005
【図４】
2015208739.tif 000006